(57)【特許請求の範囲】
【請求項１】
長辺が短辺の２倍を越えた長さに形成されている矩形板状の畳床と、該畳床の表面側に配置された畳表と、該畳床と該畳表との間に配置されかつ該畳床の表面に接着されている緩衝材とを備えた長尺畳であって、
矩形状の畳本体と、
前記畳本体の周囲側部に設けられ、前記畳床の裏面を前記緩衝材まで該畳床の側辺と平行に延びるように凹陥状に切り欠いた第１溝部の底部を折り目として、該第１溝部の溝壁面同士が当接するように該畳本体側に折り曲げられている第１折曲げ部と、
前記第１折曲げ部の周囲側部に隣接して設けられ、前記畳床の裏面を前記緩衝材まで該畳床の側辺と平行に延びるように凹陥状に切り欠いた第２溝部の底部を折り目として、該第２溝部の溝壁面同士が当接するように該第１折曲げ部側に折り曲げられている第２折曲げ部と、を有し、
前記第１折曲げ部が前記畳本体側に折り曲げられて、前記第１溝部の溝壁面同士が当接して保持され、前記第２折曲げ部が該第１折曲げ部側に折り曲げられて、前記第２溝部の溝壁面同士が当接しかつ前記畳本体の畳床裏側と該第２折曲げ部の畳床裏側とが当接して保持されている、長尺畳。
【請求項２】
請求項１に記載の長尺畳において、
前記第１折曲げ部が前記畳本体側に折り曲げられかつ前記第２折曲げ部が該第１折曲げ部側に折り曲げられている状態で、畳床の折り曲げられた外表面、周囲端面および内表面に亘って前記緩衝材が該畳床と前記畳表との間に配置されている、長尺畳。
【請求項３】
請求項１または２に記載の長尺畳において、
前記第１溝部の底部は、互いに平行に延びる断面Ｖ字状の複数条の底部からなり、
前記第１溝部の複数条の底部により前記第１折曲げ部が前記畳本体側に折り曲げられた状態で該第１折曲げ部と該畳本体との間の隅角部分に面取り部が形成されている、長尺畳。
【請求項４】
請求項１〜３のいずれか１項に記載の長尺畳において、
前記緩衝材と前記畳表との間に不織布層が設けられ、
前記第１溝部は前記不織布層まで切り欠かれている、長尺畳。
【請求項５】
請求項４に記載の長尺畳において、
畳床裏面の周囲側部には、畳床の厚さが他の部分よりも薄くなるように畳床の裏面を段差状に切り欠いた段差部が形成されていて該段差部の裏面に前記第１および第２溝部が設けられ、
前記第２折曲げ部は、前記第１折曲げ部側に折り曲げられた状態で前記段差部の一部に収容されている、長尺畳。
【請求項６】
請求項４または５に記載の長尺畳において、
前記緩衝材と前記畳表との間に不織布層が設けられ、
前記第２溝部は前記不織布層まで切り欠かれている、長尺畳。
【請求項７】
請求項１〜６のいずれか１項に記載の長尺畳の製造方法であって、
前記畳本体の周囲側部に、前記畳床の裏面を前記緩衝材まで該畳床の側辺と平行に延びるように凹陥状に切り欠いて第１溝部を形成するステップと、
前記第１溝部の底部を折り目として該第１溝部の溝壁面同士が当接するように該第１折曲げ部を該畳本体側に折り曲げるステップと、
前記第１溝部の溝壁部同士の当接状態を保持するステップと、
前記第１折曲げ部の周囲側部に隣接する位置に、前記畳床の裏面を前記緩衝材まで該畳床の側辺と平行に延びるように凹陥状に切り欠いて第２溝部を形成するステップと、
前記第２溝部の底部を折り目として該第２溝部の溝壁面同士が当接するように該第２折曲げ部を該第１折曲げ部側に折り曲げるステップと、
前記第２溝部の溝壁部同士の当接状態を保持しかつ前記畳本体の畳床裏側と該第２折曲げ部の畳床裏側との当接状態を保持するステップと、を備える、長尺畳の製造方法。
【発明の詳細な説明】
【技術分野】
【０００１】
本発明は、長尺畳およびその製造方法に関するものである。
【背景技術】
【０００２】
伝統的な畳としては、畳床と、この畳床上に配置された畳表と、畳表の外縁に縫い付けられた畳縁と、を備えるものが知られている。これに対し、近年では、フローリングやカーペット等の床材上に簡単に敷設することが可能な置き畳が注目されている。この置き畳は、縁取りのない（すなわち上記の畳縁を備えない）シンプルな縁なし畳として構成されており、例えば特許文献１および２に示されるような畳構造が知られている。
【０００３】
特許文献１には、畳床の表面を畳表本体で覆い、畳床の側面から裏面周辺部を畳表からはみ出した折り返し片で覆うとともに畳床の裏面側にて折り返し片の上から裏シートで覆われた縁なし畳が開示されている。
【０００４】
また、特許文献２には、畳床より大きく接着されたい草および弾性体としての炭酸カルシウム含有合成樹脂発泡体からなる畳表層材を畳床側面から底面に巻き込むように接着した畳が開示されている。
【先行技術文献】
【特許文献】
【０００５】
【特許文献１】特開２０１３−１６７０９６号公報
【特許文献２】特開２００１−３１７１８９号公報
【発明の概要】
【発明が解決しようとする課題】
【０００６】
しかしながら、特許文献１の畳では、畳床の表面ないし周囲側面に畳表が貼り付けられているのみの構成であることから、畳の周囲側面同士の突き合わせ箇所に生じうる隙間を調整するための構造上の工夫がなされていなかった。このため、特許文献１の畳では、畳の側面同士の突き合わせ箇所に隙間が生じやすく、畳同士を隙間なく綺麗に床材上に敷き詰めることが困難となる。
【０００７】
一方、特許文献２の畳では、畳同士の隙間を調整するために、弾性体である炭酸カルシウム含有樹脂発泡体が畳床の周囲側面に配置されている。しかしながら、この畳の構成は、畳床の周囲側面に対して炭酸カルシウム含有樹脂発泡体を含む畳表層材を単に巻き込んでいるのみの構成であるため、特に畳の周囲側面では畳床に対する畳表層材の貼り付け状態にムラが生じやすい。すなわち、畳の周囲側面全体が平坦状になりにくい。その結果、特許文献２の畳でも、畳の側面同士の突き合わせ箇所に依然として隙間が生じやすく、畳同士を隙間なく綺麗に床材上に敷き詰めることが困難であった。
【０００８】
さらに、特許文献１および２の畳では、一般的な畳のサイズしか想定されていないことから、例えば旅館の大広間のような比較的広い部屋に畳を敷き詰める場合、必然的にその畳の必要数が増えてしまい、畳同士の継ぎ目も多くなってしまうため、床の外観が損なわれる結果になっていた。また、たとえ特許文献１および２の畳構造により長尺サイズの畳を作製したとしても、これらの畳構造には補強構造が備わっていないことから、畳全体の周囲側部における曲げ強さが脆弱になり、一定の強度を保ちながら同一の材料により長尺サイズの畳を構成することができないという問題があった。
【０００９】
本発明は斯かる点に鑑みてなされたものであり、その目的は、畳を構成する層構造および畳床の形状に改良を加えることにより、部屋の床材上に複数の畳を隙間なく綺麗に敷き詰めることができるとともに、比較的広い部屋の床に敷き詰める畳の必要数を抑えかつ畳同士の継ぎ目を極力減らして床の外観をシンプルにできるようにすることにある。
【課題を解決するための手段】
【００１０】
上記の目的を達成するために、この発明では、一定の強度を保ちながら同一の材料により長尺サイズの畳を構成するようにした。
【００１１】
具体的には、第１の形態は、長辺が短辺の２倍を越えた長さに形成されている矩形板状の畳床と、該畳床の表面側に配置された畳表と、該畳床と該畳表との間に配置されかつ該畳床の表面に接着されている緩衝材とを備えた長尺畳であって、矩形状の畳本体と、畳本体の周囲側部に設けられ、畳床の裏面を緩衝材まで該畳床の側辺と平行に延びるように凹陥状に切り欠いた第１溝部の底部を折り目として、該第１溝部の溝壁面同士が当接するように該畳本体側に折り曲げられている第１折曲げ部と、第１折曲げ部の周囲側部に隣接して設けられ、畳床の裏面を緩衝材まで該畳床の側辺と平行に延びるように凹陥状に切り欠いた第２溝部の底部を折り目として、該第２溝部の溝壁面同士が当接するように該第１折曲げ部側に折り曲げられている第２折曲げ部と、を有し、第１折曲げ部が畳本体側に折り曲げられて、第１溝部の溝壁面同士が当接して保持され、第２折曲げ部が該第１折曲げ部側に折り曲げられて、第２溝部の溝壁面同士が当接しかつ畳本体の畳床裏側と該第２折曲げ部の畳床裏側とが当接して保持されていることを特徴とする。
【００１２】
この第１の形態では、畳床と畳表との間に配置された緩衝材を備える第１折曲げ部が畳本体側に折り曲げられていることにより、特に畳の周囲端面において、緩衝材および畳表がムラなく平坦状に貼り付けられた状態となっている。そして、部屋の床材上に複数の畳を敷き詰めた状態では、畳の周囲端面同士が第１折曲げ部において互いに突き合わされるとともに、畳床の周囲端面に配置された第１折曲げ部の緩衝材同士が互いに押し付け合って、畳同士の隙間が生じないように畳の納まり具合を調整することが可能となる。その結果、伝統的な畳に備えられているような畳縁を特に設けずとも、部屋の床材上に複数の畳を隙間なく綺麗に敷き詰めることができる。また、第２溝部の溝壁面同士が当接しかつ畳本体の畳床裏側と第２折曲げ部の畳床裏側とが当接して保持されているため、長辺が短辺の２倍を越えた長さに形成されている畳床の周囲側部が第２折曲げ部により補強され、畳全体の周囲側部における曲げ強さが向上する。この結果、一定の強度を保ちながら同一の材料により長尺サイズの畳を構成することが可能となり、例えば旅館の大広間のような比較的広い部屋に敷き詰める畳の必要数を抑えかつ畳同士の継ぎ目を極力減らして床の外観をシンプルにすることができる。
【００１３】
第２の形態は、第１の形態において、第１折曲げ部が畳本体側に折り曲げられかつ第２折曲げ部が該第１折曲げ部側に折り曲げられている状態で、畳床の折り曲げられた外表面、周囲端面および内表面に亘って緩衝材が該畳床と畳表との間に配置されていることを特徴とする。
【００１４】
この第２の形態では、折り曲げられた畳床の外表面、周囲端面および内表面に亘って、緩衝材が畳床と畳表との間に配置された状態となることから、畳床の周囲端面に対する緩衝材および畳表の貼り付け状態がより一層保たれるようにすることができる。また、折り曲げられた畳床の内表面に配置された緩衝材によって、部屋の床材上に畳を敷き詰めたときの鉛直方向に対するクッション性を向上させることができる。
【００１５】
第３の形態は、第１または第２の形態において、第１溝部の底部は、互いに平行に延びる断面Ｖ字状の複数条の底部からなり、第１溝部の複数条の底部により第１折曲げ部が畳本体側に折り曲げられた状態で該第１折曲げ部と該畳本体との間の隅角部分に面取り部が形成されていることを特徴とする。
【００１６】
この第３の形態では、第１折曲げ部と畳本体との間に形成されている面取り部により、部屋の床材上に複数の畳を敷き詰めたときに、畳の側部端面の隅角部に人の足がつまずいて転倒するようなことを未然に防ぐことができる。
【００１７】
第４の形態は、第１〜第３の形態のいずれか１つにおいて、緩衝材と畳表との間に不織布層が設けられ、第１溝部は不織布層まで切り欠かれていることを特徴とする。
【００１８】
この第４の形態では、不織布を介して緩衝材上に畳表を容易に貼り付けることができるとともに、第１折曲げ部を畳本体側に折り曲げる際、緩衝材および不織布がその折り曲げの妨げにならず、緩衝材および畳表の接着状態を保ちながら第１折曲げ部を折り曲げることができる。
【００１９】
第５の形態は、第４の形態において、畳床裏面の周囲側部には、畳床の厚さが他の部分よりも薄くなるように畳床の裏面を段差状に切り欠いた段差部が形成されていて段差部の裏面に第１および第２溝部が設けられ、第２折曲げ部は、第１折曲げ部側に折り曲げられた状態で段差部の一部に収容されていることを特徴とする。
【００２０】
この第５の形態では、第２折曲げ部が第１折曲げ部側に折り曲げられた状態で段差部の一部に収容されていることから、実際の使用状態において、畳の全体的な厚みを抑えて、部屋の床材上に畳をコンパクトに敷き詰めることができる。
【００２１】
第６の形態は、第４または第５の形態において、緩衝材と畳表との間に不織布層が設けられ、第２溝部は不織布層まで切り欠かれていることを特徴とする。
【００２２】
この第６の形態では、不織布を介して緩衝材上に畳表を容易に貼り付けることができるとともに、第２折曲げ部を畳本体側に折り曲げる際、不織布がその折り曲げの妨げにならず、緩衝材および畳表の接着状態を保ちながら第２折曲げ部を折り曲げることができる。
【００２３】
第７の形態は、第１〜第６のいずれか１つの畳の製造方法であって、畳本体の周囲側部に、畳床の裏面を緩衝材まで畳床の側辺と平行に延びるように凹陥状に切り欠いて第１溝部を形成するステップと、第１溝部の底部を折り目として第１溝部の溝壁面同士が当接するように第１折曲げ部を畳本体側に折り曲げるステップと、第１溝部の溝壁部同士の当接状態を保持するステップと、第１折曲げ部の周囲側部に隣接する位置に、畳床の裏面を緩衝材まで畳床の側辺と平行に延びるように凹陥状に切り欠いて第２溝部を形成するステップと、第２溝部の底部を折り目として第２溝部の溝壁面同士が当接するように第２折曲げ部を第１折曲げ部側に折り曲げるステップと、第２溝部の溝壁部同士の当接状態を保持しかつ畳本体の畳床裏側と第２折曲げ部の畳床裏側との当接状態を保持するステップと、を備えることを特徴とする。
【００２４】
第７の形態では、第１の形態と同様の効果を得ることができる。また、第１の形態に係る畳を容易に製造することができる。
【発明の効果】
【００２５】
以上説明したように、本発明によると、畳床の周囲端面に配置された緩衝材同士が互いに押し付け合って、畳同士の隙間が生じないように畳の納まり具合を調整することが可能となり、部屋の床材上に複数の畳を隙間なく綺麗に敷き詰めることができるとともに、比較的広い部屋の床に敷き詰める畳の必要数を抑えかつ畳同士の継ぎ目を極力減らして床の外観をシンプルにすることができる。
【図面の簡単な説明】
【００２６】
【図１】図１は、本発明の第１実施形態に係る長尺畳の側部を示す断面図である。
【図２】図２は、本発明の第１実施形態に係る長尺畳の背面図である。
【図３】図３は、第１および第２折曲げ部が畳本体側に折り曲げられる前の状態における畳材の側部を示す断面図である。
【図４】図４は、第１および第２折曲げ部が畳本体側に折り曲げられる前の状態における畳材の背面図である。
【図５】図５は、調整板材を空間Ｓに配置した状態における長尺畳の図１相当図である。
【図６】図６は、本発明の第３実施形態に係る長尺畳の図１相当図である。
【図７】図７は、本発明の第３実施形態に係る畳材の図３相当図である。
【図８】図８は、その他の実施形態に係る長尺畳の図１相当図である。
【図９】図９は、その他の実施形態に係る畳材の図３相当図である。
【図１０】図１０は、その他の実施形態に係る長尺畳の図１相当図である。
【図１１】図１１は、その他の実施形態に係る畳材の図３相当図である。
【発明を実施するための形態】
【００２７】
［第１実施形態］
以下、本発明の各実施形態を図面に基づいて詳細に説明する。以下の各実施形態の説明は、本質的に例示に過ぎず、本発明、その適用物或いはその用途を制限することを意図するものではない。
【００２８】
図１および図２は、本発明の第１実施形態に係る長尺畳１を示し、この長尺畳１は、後述するように図３および図４に示す畳材１Ａから形成されるものである。長尺畳１は、木質繊維板からなる矩形板状の畳床２を備えている。この畳床２は、長尺畳１の芯材としての役割を果たすものであり、長辺が短辺の２倍を越えた長さに形成されている。より具体的には、この畳床２は、例えば短辺が１尺、長辺が９尺となるように形成されている（１尺＝１００×１０／３３ｃｍ）。
【００２９】
この畳床２をなす木質繊維板の具体例としては、クッション性、断熱性、および防音性の観点から、厚さ約３ｍｍのインシュレーションボード（すなわち軟質繊維板）が適している。なお、畳床２の大きさは、部屋の床面積に応じて適宜の大きさに形成されていればよい。
【００３０】
図３および図４に示すように、長尺畳１が形成される前の状態の畳材１Ａにおいて、畳床２の表面２ａ側には畳表５が配置されている。この畳表５は、天然のイ草を編織したもの、または人工の筒状抄繊糸を緯糸にして編織して得た可撓性を有するシートが適している。また、畳床２と畳表５との間には、緩衝材３が配置されている。この緩衝材３は、接着剤により畳床２の表面２ａに貼り付けられている。この緩衝材３としては、例えば樹脂製の不織布や発泡体、木質の繊維板、鉱物質の繊維板、ダンボール等が用いられる。もっとも好適には、クッション性と復元性に優れるウレタン性の発泡板材が用いられる。さらに、緩衝材３と畳表５との間には、不織布４（不織布層）が設けられている。この不織布４は、例えば緩衝材３と畳表５とを接着するための役割を有している。
【００３１】
ここで、畳材１Ａの状態において、緩衝材３、不織布４、および畳表５の各々は、畳床２の大きさと同じ大きさにそれぞれ形成されていればよい。また、畳床２上に積層された緩衝材３、不織布４、および畳表５の総厚みは、約４ｍｍ程度に設定されている。すなわち、畳材１Ａの状態では、全体的な厚みが約７ｍｍになるように設定されている。
【００３２】
図３および図４に示すように、畳材１Ａは、矩形状の畳本体６を有している。この畳本体６は、長辺が短辺の２倍を越えた長さに形成されている。そして、畳本体６を構成する畳床２の表面２ａ上には、上述した緩衝材３、不織布４、および畳表５が積層されている。
【００３３】
また、図３および図４に示すように、畳材１Ａにおける畳本体６裏面の周囲側部には、第１溝部７が畳床２の側辺２ｃと平行に延びるように形成されている。この第１溝部７は、畳床２の裏面２ｂを凹陥状に切り欠いた形状になっている。より具体的には、第１溝部７は、畳床２の裏面２ｂから畳表５に向かって両溝壁面７ａ，７ａの間隔が狭まるように切り欠かれた断面略Ｖ字状に形成されている。また、この第１溝部７は、緩衝材３および不織布４まで切り欠かれ、その底部７ｂは一条の折り目に形成されている。
【００３４】
さらに、畳本体６における４辺全ての周囲側部には、第１溝部７の底部７ｂを折り目として第１溝部７の溝壁面７ａ，７ａ同士が当接するように畳本体６側に折り曲げられている第１折曲げ部８，８，…が設けられている。図３に示すように、この第１折曲げ部８は、断面略三角形状になるように形成されている。また、第１折曲げ部８を構成する畳床２の表面２ａ上には、畳本体６と同様、緩衝材３、不織布４、および畳表５が積層されている。
【００３５】
図１および図２に示すように、長尺畳１は、畳材１Ａの状態における第１折曲げ部８が畳本体６側に折り曲げられて第１溝部７の溝壁面７ａ，７ａ同士が当接して保持されている。具体的には、第１溝部７の溝壁面７ａ，７ａ同士は、接着剤により互いに当接した状態で固定されている。
【００３６】
図３および図４に示すように、畳材１Ａにおける第１折曲げ部８裏面の周囲側部には、第２溝部９が畳床２の側辺２ｃと平行に延びるように形成されている。この第２溝部９は、畳床２の裏面２ｂを凹陥状に切り欠いた形状になっている。なお、第２溝部９の具体的な構成および効果は、第１溝部７と同様であるため、詳細な説明は省略する。
【００３７】
また、第１折曲げ部８に隣接する４辺全ての周囲側部には、第２溝部９の底部９ｂを折り目として第２溝部９の溝壁面９ａ，９ａ同士が当接するように第１折曲げ部８側に折り曲げられる第２折曲げ部１０，１０，…が設けられている。この第２折曲げ部１０を構成する畳床２の表面２ａ上には、第１折曲げ部８と同様、緩衝材３、不織布４、および畳表５が積層されている。
【００３８】
図１および図２に示すように、第１折曲げ部８は、畳本体６側に折り曲げられているとともに、第２折曲げ部１０は、第１折曲げ部８側に折り曲げられて第２溝部９の溝壁面９ａ，９ａ同士が当接して保持されている。ここで、第２溝部９の溝壁面９ａ，９ａ同士は、接着剤によってその当接状態が固定されている。さらに、第１および第２折曲げ部８，１０が折り曲げられた状態をより強固に保持するために、第２折曲げ部１０の畳床裏面２ｂは、接着剤により畳本体６の畳床裏面２ｂに固定されている。
【００３９】
このように、第１および第２折曲げ部８，１０が折り曲げられた長尺畳１では、畳床２の折り曲げられた外表面（すなわち畳本体６の畳床表面２ａ）、周囲端面（すなわち第１折曲げ部８の畳床表面２ａおよび）および内表面（すなわち第２折曲げ部１０の畳床表面２ａ）に亘って、緩衝材３が畳床２と畳表５との間に配置されている。そして、第１折曲げ部８が畳本体６側に折り曲げられた長尺畳１の周囲端面では、畳床２に対する緩衝材３および畳表５の貼り付け状態がムラなく平坦状になっている。
【００４０】
次に、この実施形態に係る長尺畳１の製造方法を説明する。
【００４１】
まず、第１溝部７を形成する前の状態における畳材１Ａを準備する。具体的には、接着剤を用いて、適宜の大きさに形成された畳床２の表面２ａ上に緩衝材３を貼り付ける。緩衝材３を貼り付けた後、不織布４を緩衝材３上に接着してから、その不織布４の上に畳表５を貼り付ける。
【００４２】
この後、所定の切削機械（図示せず）を用いて、畳床２の４辺全ての周囲側部に第１溝部７を切削により形成する。具体的には、畳床２の側部における所定の位置に切削機械の切削刃を設置し、畳床２の側辺２ｃと平行に延びるように畳床２の裏面２ｂを凹陥状（すなわち畳床２の裏面２ｂから畳表５に向かって両溝壁面７ａ，７ａの間隔が狭まるような断面略Ｖ字状）に切り欠いていく。このとき、緩衝材３および不織布４まで切り欠くことによって、第１溝部７の底部７ｂに畳床２の側辺２ｃと平行に延びる一条の折り目を形成する。このように、畳床２の４辺全ての周囲側部に第１溝部７，７，…を形成することによって、図３に示すように、畳本体６および第１折曲げ部８，８，…がそれぞれ形成される。
【００４３】
第１溝部７を形成した後、所定の切削機械（図示せず）を用いて、畳床２の４辺全ての周囲側部に第２溝部９，９，…を切削により形成する。具体的には、第１折曲げ部８に隣接する所定の位置に切削機械の切削刃を設置し、畳床２の側辺２ｃと平行に延びるように畳床２の裏面２ｂを凹陥状（すなわち畳床２の裏面２ｂから畳表５に向かって両溝壁面９ａ，９ａの間隔が狭まるような断面略Ｖ字状）に切り欠いていく。この第２溝部９についても、第１溝部７と同様、緩衝材３および不織布４まで切り欠き、第２溝部９の底部９ｂに畳床２の側辺２ｃと平行に延びる一条の折り目を形成する。このように、第２溝部９，９，…を形成することにより、図４に示すように、第１折曲げ部８に隣接する４辺全ての周囲側部に第２折曲げ部１０，１０，…が形成される。
【００４４】
これにより、長尺畳１を形成する前の状態における畳材１Ａの準備が完了する。
【００４５】
畳材１Ａの準備が完了した後、畳材１Ａから部屋の床材上に敷き詰められる形態の長尺畳１を作製する。具体的には、まず第１溝部７の底部７ｂを折り目として第１溝部７の溝壁面７ａ，７ａ同士が当接するように第１折曲げ部８を畳本体６側に折り曲げる。次に、第２溝部９の底部９ｂを折り目として第２溝部９の溝壁面９ａ，９ａ同士が当接するように第２折曲げ部１０を第１折曲げ部８側に折り曲げる。すなわち、畳材１Ａの周囲側部を畳本体６側に２回折り曲げる。これによって、畳床２の折り曲げられた外表面、周囲端面および内表面に亘って、緩衝材３が畳床２と畳表５との間に配置された状態となる。
【００４６】
最後に、第１および第２折曲げ部８，１０が折り曲げられた状態で、接着剤により、第１溝部７の溝壁面７ａ，７ａ同士および第２溝部９の溝壁面９ａ，９ａ同士をそれぞれ固定しかつ第２折曲げ部１０の畳床２の裏面２ｂを畳本体６の畳床２の裏面２ｂに固定する。これにより、長尺畳１の作製が完了する。
【００４７】
以上のように、この実施形態に係る長尺畳１では、畳床２と畳表５との間に配置された緩衝材３を備える第１折曲げ部８が畳本体６側に折り曲げられていることにより、特に長尺畳１の周囲端面（すなわち第１折曲げ部８の畳床表面２ａ）において、緩衝材３および畳表５がムラなく平坦状に貼り付けられた状態となっている。そして、部屋の床材上に複数の長尺畳１，１，…を敷き詰めた状態では、長尺畳１の周囲端面同士が第１折曲げ部８において互いに突き合わされるとともに、畳床２の周囲端面に配置された第１折曲げ部８，８の緩衝材３，３同士が互いに押し付け合って、長尺畳１，１同士の隙間が生じないように長尺畳１の納まり具合を調整することが可能となる。その結果、伝統的な畳に備えられているような畳縁を特に設けずとも、意匠的にシンプルな縁なし畳として、部屋の床材上に複数の長尺畳１，１，…を隙間なく綺麗に敷き詰めることができる。
【００４８】
また、第２溝部９の溝壁面９ａ，９ａ同士が当接しかつ畳本体６の畳床裏面２ｂ（畳床裏側）と第２折曲げ部１０の畳床裏面２ｂ（畳床裏側）とが当接して保持されているため、長辺が短辺の２倍以上の長さに形成されている畳床２の周囲側部が第２折曲げ部１０により補強され、長尺畳１全体の周囲側部における曲げ強さが向上する。この結果、一定の強度を保ちながら同一の材料により長尺サイズの畳を構成することが可能となり、例えば旅館の大広間のような比較的広い部屋に敷き詰める畳の必要数を抑えかつ畳同士の継ぎ目を極力減らして床の外観をシンプルにすることができる。
【００４９】
また、第１折曲げ部８が畳本体６側に折り曲げられかつ第２折曲げ部１０が該第１折曲げ部８側に折り曲げられている状態で、折り曲げられた畳床２の外表面、周囲端面および内表面に亘って、緩衝材３が畳床２と畳表５との間に配置された状態となることから、畳床２の周囲端面に対する緩衝材３および畳表５の貼り付け状態がより一層保たれるようにすることができる。また、折り曲げられた畳床２の内表面に配置された緩衝材３によって、部屋の床材上に畳を敷き詰めたときの鉛直方向に対するクッション性を向上させることができる。
【００５０】
さらに、この実施形態に係る長尺畳１では、緩衝材３と畳表５との間に不織布４（不織布層）が設けられ、第１溝部７および第２溝部９が不織布４まで切り欠かれていることから、不織布４を介して緩衝材３上に畳表５を容易に貼り付けることができるとともに、第１折曲げ部８を畳本体６側に折り曲げかつ第２折曲げ部１０を第１折曲げ部８側に折り曲げる際、緩衝材３および不織布４がその折り曲げの妨げにならず、緩衝材３および畳表５の接着状態を保ちながら第１折曲げ部８および第２折曲げ部１０を折り曲げることができる。
【００５１】
なお、この実施形態に係る長尺畳１において、第１および第２折曲げ部８，１０をそれぞれ折り曲げた状態では、畳本体６の裏面２ｂと第２折曲げ部１０の表面５ａとが互いに面一とならず、図５に示すように、部屋の床材上にこの畳を敷き詰めると必然的に空間Ｓが生じてしまう。この空間Ｓを埋めるため、例えば図５の仮想線により示した調整板材１１を空間Ｓに別途配置すればよい。
【００５２】
［第２実施形態］
図６および図７は、本発明の第２実施形態に係る長尺畳１を示す。この実施形態は、第１の実施形態において、畳床裏面２ｂの周囲側部に段差部１２を設けたものである。なお、この実施形態に係る長尺畳１の他の構成は、第１実施形態に係る長尺畳１の構成と同様である。このため、この実施形態の説明では、図１〜図５と同じ部分について同じ符号を付し、その詳細な説明を省略する。
【００５３】
図７に示すように、畳材１Ａの状態において、畳床２の裏面２ｂの周囲側部には、畳床２の厚さが他の部分よりも薄くなるように畳床２の裏面２ｂを段差状に切り欠いた段差部１２が形成されている。また、段差部１２の裏面には、第１および第２溝部７，９が設けられている。そして、図６に示すように、第２折曲げ部１０は、第１折曲げ部８側に折り曲げられた状態で段差部１２の一部に収容されている。より具体的には、この実施形態に係る長尺畳１は、畳材１Ａの第１および第２折曲げ部８，１０をそれぞれ折り曲げた状態において、畳本体６の裏面２ｂと第２折曲げ部１０の表面５ａとが互いに面一となるように構成されている。
【００５４】
以上のように、この実施形態に係る長尺畳１では、第２折曲げ部１０が第１折曲げ部８側に折り曲げられた状態で段差部１２の一部に収容されていることから、実際の使用状態において、長尺畳１の全体的な厚みを抑えて、部屋の床材上に長尺畳１をコンパクトに敷き詰めることができる。
【００５５】
また、この実施形態に係る長尺畳１では、第１および第２折曲げ部８，１０をそれぞれ折り曲げた状態において、畳本体６の裏面２ｂと第２折曲げ部１０の表面５ａとが互いに面一となっていることから、第１実施形態のように、別途の調整板材１１を用いることなく、実際の使用状態における長尺畳１を部屋の床材上にそのまま敷き詰めることができる。
【００５６】
［その他の実施形態］
上記の各実施形態に係る長尺畳１では、第１溝部７の形状として、断面Ｖ字状の一条の底部７ｂからなる形態としたが、この形態に限らない。例えば、図９および図１１に示すように、第１溝部７の底部７ｂは、互いに平行に延びる断面Ｖ字状の複数条（図９および図１１では二条）の底部７ｂ，７ｂからなる形態にしてもよい。このような形態にすれば、図８および図１０に示すように、第１溝部７の複数条の底部７ｂ，７ｂにより第１折曲げ部８が畳本体６側に折り曲げられた状態で第１折曲げ部８と畳本体６との間における隅角部分に傾斜状の面取り部１３が形成されることになる。この面取り部１３により、部屋の床材上に複数の長尺畳１，１，…を敷き詰めたときに、長尺畳１の側部端面２ｃの隅角部に人の足がつまずいて転倒するようなことを未然に防ぐことができる。
【００５７】
上記の各実施形態に係る長尺畳１では、不織布４を備える形態としたが、この形態に限られない。すなわち、不織布４を備えない畳であってもよい。例えば、接着剤により、緩衝材３の表面に畳表５がしっかり接着されているような形態であればよい。
【００５８】
上記の各実施形態では、畳材１Ａの状態において、畳本体６における４辺全ての周囲側部に第１溝部７，７，…、第１折曲げ部８，８，…、第２溝部９，９，…、第２折曲げ部１０，１０，…を設ける形態としたが、この形態に限られない。例えば、畳本体６における２辺（例えば図４に示す畳本体６の左右両側）の周囲側部にのみ第１溝部７，７、第１折曲げ部８，８、第２溝部９，９、第２折曲げ部１０，１０を設ける形態としてもよい。
【００５９】
以上、本発明についての実施形態を説明したが、本発明は上述の実施形態のみに限定されず、発明の範囲内で種々の変更が可能である。
【産業上の利用可能性】
【００６０】
本発明は、旅館の大広間のような比較的広い部屋におけるフローリングやカーペット等の床材上に敷設することが可能な長尺畳として産業上の利用が可能である。
【符号の説明】
【００６１】
１：畳
２：畳床
３：緩衝材
４：不織布（不織布層）
５：畳表
６：畳本体
７：第１溝部
８：第１折曲げ部
９：第２溝部
１０：第２折曲げ部
７ａ，９ａ：溝壁面
７ｂ，９ｂ：底部（折り目）
１２：段差部
１３：面取り部
【図１】
0006480843.tif 000002
【図２】
0006480843.tif 000003
【図３】
0006480843.tif 000004
【図４】
0006480843.tif 000005
【図５】
0006480843.tif 000006
【図６】
0006480843.tif 000007
【図７】
0006480843.tif 000008
【図８】
0006480843.tif 000009
【図９】
0006480843.tif 000010
【図１０】
0006480843.tif 000011
【図１１】
0006480843.tif 000012